【手続補正書】
【提出日】平成27年12月10日(2015.12.10)
【手続補正１】
【補正対象書類名】明細書
【補正対象項目名】００９０
【補正方法】変更
【補正の内容】
【００９０】
本稿では本開示の教示を組み込む実施形態が詳細に示され、説明されているが、当業者は、やはりこれらの教示を組み込んでいる数多くの変形実施形態を容易に考案できる。装置上のメディア・コンテンツ・データベースを管理するための方法および装置の好ましい実施形態（それらは限定するのではなく、例解することを意図したものである）を述べてきたが、上記の教示に照らして修正および変形が当業者によってできることを注意しておく。したがって、開示される本開示の個別的な実施形態に変更がなされてもよく、それは付属の請求項によって概説される本開示の範囲内であることは理解しておくものとする。
いくつかの付記を記載しておく。
〔付記１〕
メディア装置を、複数のメディア・コンテンツ源を含む家庭ネットワークに接続する段階と；
前記複数のメディア・コンテンツ源からの少なくとも一つのメディア・コンテンツ源を一時的コンテンツ源として識別する段階であって、一時的コンテンツ源は前記家庭ネットワークに恒久的に接続されているのではない、段階と；
定期的なレートで、前記少なくとも一つのメディア・コンテンツ源をスキャンして、前記少なくとも一つのメディア・コンテンツ源上のメディア・コンテンツを同定する段階であって、前記定期的なレートは、一時的コンテンツ源として識別されていないメディア・コンテンツ源についての定期的なレートより高い、段階と；
前記少なくとも一つのメディア・コンテンツ源をスキャンすることに基づいて前記メディア装置に利用可能なメディア・コンテンツのカタログを更新する段階とを含む、
方法。
〔付記２〕
前記少なくとも一つのメディア・コンテンツ源上の前記メディア・コンテンツに関連付けられた情報を取得する段階と；
少なくとも二つのカタログ化基準に基づく別個のリストにおいて前記メディア・コンテンツについての前記情報を与える表示可能なディレクトリ構造を生成する段階とをさらに含む、
付記１記載の方法。
〔付記３〕
前記メディア装置からの前記ディレクトリ構造を、表示装置上での表示のために提供する段階をさらに含む、付記２記載の方法。
〔付記４〕
前記表示ディレクトリ構造が、「すべてのメディア」、「装置」、「内部フォルダ」、「プレイリスト」、「俳優」、「アーチスト」、「ジャンル」および「年」のうちの少なくとも一つによって同定される別個のリストにおいて編成されたツリー構造として編成される、付記２記載の方法。
〔付記５〕
同じメディア・コンテンツが前記別個のリストのうちの少なくとも二つにおいて現われる、付記４記載の方法。
〔付記６〕
前記メディア・コンテンツが前記少なくとも一つのメディア・コンテンツ源上に記録されたコンテンツを含み、前記メディア・コンテンツについての前記情報が、前記メディア・コンテンツの再生に関する識別子を含む、付記２記載の方法。
〔付記７〕
前記メディア・コンテンツが、前記少なくとも一つのメディア・コンテンツ源上に記録されたコンテンツを含む、付記１記載の方法。
〔付記８〕
前記メディア・コンテンツがプレイリストを含み、当該方法がさらに、前記プレイリストから利用可能なコンテンツを取得するために前記プレイリストをパースすることを含む、付記１記載の方法。
〔付記９〕
前記家庭ネットワークがデジタル・リビング・ネットワーク・アライアンス・プロトコルを使って通信する、付記１記載の方法。
〔付記１０〕
付記１記載の方法であって、さらに：
前記複数の追加的なメディア・コンテンツ源からの第二のメディア・コンテンツ源を、一時的コンテンツ源ではないとして識別する段階と；
第二の定期的なレートで、前記第二のメディア・コンテンツ源をスキャンして、前記少なくとも一つのメディア・コンテンツ源上のメディア・コンテンツを同定する段階と；
前記第二のメディア・コンテンツ源をスキャンすることに基づいて前記メディア装置に利用可能なメディア・コンテンツのカタログを更新する段階とを含む、
方法。
〔付記１１〕
一時的メディア・コンテンツ源をスキャンするために使われる前記定期的なレートは、前記第二の定期的なレートより少なくとも10倍大きい、付記１０記載の方法。
〔付記１２〕
前記少なくとも一つのメディア・コンテンツ源が接続可能な記憶要素である、付記１記載の方法。
〔付記１３〕
前記メディア装置がさらに、放送信号ネットワークおよびインターネットの少なくとも一方に接続されている、付記１記載の方法。
〔付記１４〕
複数のメディア・コンテンツ源を含む家庭ネットワークに接続する手段と；
前記複数のメディア・コンテンツ源からの少なくとも一つのメディア・コンテンツ源を一時的コンテンツ源として識別する手段であって、一時的コンテンツ源は前記家庭ネットワークに恒久的に接続されているのではない、手段と；
定期的なレートで、前記少なくとも一つのメディア・コンテンツ源をスキャンして、前記少なくとも一つのメディア・コンテンツ源上のメディア・コンテンツを同定する手段であって、前記定期的なレートは、一時的コンテンツ源として識別されていないメディア・コンテンツ源についての定期的なレートより高い、手段と；
前記少なくとも一つのメディア・コンテンツ源をスキャンすることに基づいて前記メディア装置に利用可能なメディア・コンテンツのカタログを更新する手段とを有する、
装置。
〔付記１５〕
前記少なくとも一つのメディア・コンテンツ源上の前記メディア・コンテンツに関連付けられた情報を取得する手段と；
少なくとも二つのカタログ化基準に基づく別個のリストにおいて前記メディア・コンテンツについての前記情報を含む表示可能なディレクトリ構造を生成する手段とをさらに有する、
付記１４記載の装置。
〔付記１６〕
前記表示ディレクトリ構造が、「すべてのメディア」、「装置」、「内部フォルダ」、「プレイリスト」、「俳優」、「アーチスト」、「ジャンル」および「年」のうちの少なくとも一つによって同定される別個のリストにおいて編成されたツリー構造として編成される、付記１５記載の装置。
〔付記１７〕
同じメディア・コンテンツが前記別個のリストのうちの少なくとも二つにおいて現われる、付記１６記載の装置。
〔付記１８〕
前記メディア・コンテンツが前記少なくとも一つのメディア・コンテンツ源上に記録されたコンテンツを含み、前記メディア・コンテンツについての前記情報が、前記メディア・コンテンツの再生に関する識別子を含む、付記１５記載の装置。
〔付記１９〕
前記メディア・コンテンツが、前記少なくとも一つのメディア・コンテンツ源上に記録されたコンテンツを含む、付記１４記載の装置。
〔付記２０〕
前記メディア・コンテンツがプレイリストを含み、当該装置がさらに、前記プレイリストから利用可能なコンテンツを取得するために前記プレイリストをパースする手段を有する、付記１４記載の装置。
〔付記２１〕
前記家庭ネットワークがデジタル・リビング・ネットワーク・アライアンス・プロトコルを使って通信する、付記１４記載の装置。
〔付記２２〕
付記１４記載の装置であって、前記スキャンする手段がさらに、一時的コンテンツ源として識別されていない前記複数の追加的なメディア・コンテンツ源からの第二のメディア・コンテンツ源を、第二の定期的なレートで、スキャンする手段を含む、付記１４記載の装置。
〔付記２３〕
一時的メディア・コンテンツ源をスキャンするために使われる前記定期的なレートは、前記第二の定期的なレートより少なくとも10倍大きい、付記１５記載の装置。
〔付記２４〕
複数のメディア・コンテンツ源に接続されたメディア・コンテンツ装置であって、当該装置は：
家庭ネットワークに結合された受信器であって、前記複数のメディア・コンテンツ源をスキャンして利用可能なメディア・コンテンツを同定する受信器と；
前記受信器に結合されたコントローラとを有しており、前記コントローラは、前記複数のメディア・コンテンツ源からの少なくとも一つのメディア・コンテンツ源が、前記家庭ネットワークに恒久的に接続されていないかどうかを判定し、前記コントローラは、前記少なくとも一つのメディア・コンテンツ源が前記家庭ネットワークに恒久的に接続されていない場合、前記少なくとも一つのメディア・コンテンツ源からの利用可能なメディア・コンテンツを求めてスキャンする定期的なレートを増大させる、
装置。